(57)【要約】【課題】  同時に複数の記録紙を印刷する（搬送する）場合、駆動源を専用にして搬送速度をそれぞれに制御して制御の幅を広げ、印刷生産性を上げることができるように、両面反転装置の駆動源を専用にし、その駆動源を本体に残す構成とする画像形成装置を提供する。【解決手段】  本体１と、その側面に設けられた専用の駆動源７１を有する両面反転装置５を備える画像形成装置において、前記両面反転装置５の搬送経路Ｒ２、Ｒ３、もしくは前記装置本体１の搬送経路Ｒを露出するさい、前記両面反転装置専用の駆動源７１を前記装置本体１に残す構成とした。【選択図】  図３
2005195759.tif 000002
【特許請求の範囲】
【請求項１】
装置本体と、装置本体側面に開閉自在に設けられ、専用の駆動源によって駆動される両面反転装置を備える画像形成装置において、前記両面反転装置を開放してその搬送経路、もしくは前記装置本体の搬送経路を露出するさい、前記両面反転装置専用の駆動源を前記装置本体側に配置するように構成したことを特徴とする画像形成装置。
【請求項２】
前記両面反転装置を開放して搬送経路、もしくは前記装置本体の搬送経路を露出するさい、両面反転装置および手差し装置の駆動源を前記装置本体側に配置するように構成したことを特徴とする請求項１記載の画像形成装置。
【請求項３】
前記両面反転装置および手差し装置が、前記両面反転装置の搬送経路、もしくは前記装置本体の搬送経路を露出するさい、一体的に開閉する構成であることを特徴とする請求項２記載の画像形成装置。
【請求項４】
前記両面反転装置と手差し装置および前記装置本体の画像転写部の一部が、前記両面反転装置の搬送経路、もしくは前記装置本体の搬送経路を露出するさい、一体的に開閉する構成であることを特徴とする請求項１または２記載の画像形成装置。
【請求項５】
前記両面反転装置の搬送経路を露出するさい、前記装置本体の画像転写部の一部と前記両面反転装置の搬送経路の一部が一体的に開閉する構成であることを特徴とする請求項４記載の画像形成装置。
【発明の詳細な説明】
【技術分野】
【０００１】
本発明は、専用の駆動源を有する両面反転装置を側面に備える画像形成装置に関するものである。
【背景技術】
【０００２】
両面反転装置の駆動源を装置本体側に配置する構成は従来からあったが、その場合の駆動源は、本体に設けられた他のローラ等の駆動源と兼用であった。この構成によると、駆動源が兼用であるので、反転装置と装置本体のそれぞれのローラを別々に制御することができない。また、専用の駆動源を本体ではなく、両面反転装置に有する構成も知られている（例えば特許文献１および２参照）。
【特許文献１】特開平１０−３３８４０４号公報
【特許文献２】特開２００１−３１３３６公報
【発明の開示】
【発明が解決しようとする課題】
【０００３】
両面反転装置がユニットとして本体側面に設けられているため、両面を解放する場合は駆動部も一緒に開く構造になっている。図８は従来の電子写真方式の複写機の内部機構の全体構成を示す概略図である。
図中符号１は複写機装置本体である。複写機装置（画像形成装置）本体１は、その上に画像読み取り装置２を取り付け、テーブル状のシートバンク３上に載置してなる。また、画像読み取り装置２の上には、開閉自在に原稿自動搬送装置４を取り付けてなる。
複写機装置本体１には、内部に、像担持体としてドラム状の感光体ドラム１０を設ける。この感光体ドラム１０のまわりには、図中左側に配置する帯電装置１１から、その回転方向（反時計方向）Ａの順に、下側に現像装置１２、右側に転写装置１３、上側にクリーニング装置１４を配置してなる。
そのうち、転写装置１３は、上下のローラ１５、１６の間に転写ベルト１７を掛け回して構成し、その転写ベルト１７を転写位置Ｂで感光体ドラム１０の周面に押し当ててなる。
図８中帯電装置１１およびクリーニング装置１４の左側に設けるものは、現像装置１２に新しいトナーを補給するトナー補給装置２０を設ける。また、複写機装置本体１の内部には、記録紙、ＯＨＰシート等のシートを後述する供給位置から送り出し、転写位置Ｂを経てスタック位置まで搬送するシート搬送装置Ｃを備える。
シート搬送装置Ｃは、後述する供給路Ｒ１、手差し供給路Ｒ２、およびシート搬送路Ｒを有してなる。シート搬送路Ｒは感光体ドラム１０と転写装置１３間を通って図８中下から上へと伸びてから左に曲がる略Ｌ字状に設けてなる。
そして、そのシート搬送路Ｒには、感光体ドラム１０の上流位置にレジストローラ２１を設ける。また、感光体ドラム１０の下流位置には、示す定着装置２２を設ける。
定着装置２２には、１対の定着ローラ（定着ローラ回転体）２４ａ、２４ｂを設ける。そして、一方の定着ローラ２４ａの内部には定着ヒータ２３を設け、他方の定着ローラ２４ｂの周囲には加圧ばね、加圧アームなどを設ける。
それら加圧ばね、加圧アームなどにより、一方の定着ローラ２４ａの右側から他方の定着ローラ２４ｂを押し当てる。また、一方の定着ローラ２４ａには、サーミスタ、およびサーモスタットを設ける。
そして、サーミスタにより定着ローラ２４ａの温度を測定しつつ、サーモスタットにより定着ヒータ２３をオン、またはオフすることにより、定着ローラ２４ａを所定の温度に保つ。
そのような定着装置２２のさらに下流には、排出分岐爪３４、排出ローラ３５、第１加圧ローラ３６、第２加圧ローラ３７、腰付ローラ３８を設ける。そして、その先に、画像形成済みのシートをスタックする排出スタック部（排出位置）３９を設けてなる。
【０００４】
複写機装置本体１には、図中右側面に、両面反転装置５を設けてなる。その両面反転装置５はシート搬送路Ｒの排出分岐爪３４位置から分岐し、１対の反転ローラ４３を備える反転位置４４まで導く反転路Ｒ３を備えている。
また、両面反転装置５は反転位置４４から、再びシート搬送路Ｒのレジストローラ２１まで導く再搬送路Ｒ４を有するシート搬送装置Ｄを備える。そのシート搬送装置Ｄには、シートを搬送する複数のシート搬送ローラ６６（シート搬送回転体）を備えてなる。
現像装置１２の図中左側には、レーザ書き込み装置６を備える。レーザ書き込み装置６には、図示してないレーザ光源、走査用の回転多面鏡４８、ポリゴンモータ４９、ｆθレンズ等の走査光学系５０などを設ける。
画像読み取り装置２には、光源５３、複数のミラー５４、結像用光学レンズ５５、ＣＣＤ等のイメージセンサ５６などを設ける。そして、上面にはコンタクトガラス５７を備える。
コンタクトガラス５７の上の原稿自動搬送装置４には、原稿の載置位置に図示してない載置台を設けるとともに、排出位置に同じく図示してない排出台を設ける。
また、原稿などのシートを、載置台から画像読み取り装置２のコンタクトガラス５７上の読取位置を経て排出台まで搬送する図示してない原稿搬送路を有するシート搬送装置を備える。そのシート搬送装置には、原稿などのシートを搬送する不図示のシート搬送ローラ（シート搬送回転体）を複数備えてなる。
シートバンク３には、内部に、シートＳの供給位置であるシートカセット６１を多段に備える。各シートカセット６１には、それぞれ対応して呼出ローラ６２（給送ローラ）、供給ローラ６３（給送ローラ）、分離ローラ６４（給送ローラ）を設ける。
多段に備えるシートカセット６１の図中右側には、装置本体１のシート搬送路Ｒへと通じる供給路Ｒ１を形成する。供給路Ｒ１には、シートを搬送する幾つかのシート搬送ローラ６６（シート搬送回転体）を備える。
なお、複写機装置本体１には、図中右側面に、手差し供給部７を設ける。その手差し供給部７には、手差しトレイ６７（供給位置）を開閉自在に設けるとともに、その手差しトレイ６７上にセットした手差しシートを、シート搬送路Ｒへと導く手差し供給路Ｒ２を備える。
その手差しトレイ６７にも同様に、呼出ローラ６２（給送ローラ）、供給ローラ６３（給送ローラ）、分離ローラ６４（給送ローラ）を設ける。さて、いまこの複写機を用いてコピーをとるときは、図示してないメインスイッチをオンするとともに、原稿自動搬送装置４に原稿をセットする。
または、この原稿自動搬送装置４を開いて画像読み取り装置２のコンタクトガラス５７上に直接原稿をセットし、原稿自動搬送装置４を閉じてそれで原稿を押える。
そして、図示してないスタートスイッチを押すと、原稿自動搬送装置４に原稿をセットしたときは、原稿をシート搬送ローラにより原稿搬送路を通して、コンタクトガラス５７上へと移動してから画像読み取り装置２を駆動し、原稿内容を読み取って排出台上に排出する。一方、コンタクトガラス５７上に直接原稿をセットしたときは直ちに画像読み取り装置２を駆動する。
【０００５】
画像読み取り装置２を駆動すると、画像読み取り装置２は、光源５３をコンタクトガラス５７に沿って移動するとともに、光源５３からの光をコンタクトガラス５７上の原稿面で反射し、その反射光を複数のミラー５４で反射し、結像用光学レンズ５５を経て、イメージセンサ５６に入れ、そのイメージセンサ５６で原稿内容を読み取る。
また、このとき同時に、図示してない感光体駆動モータで感光体ドラム１０を回転し、まず図示の例では帯電ローラを用いた帯電装置１１で表面を一様に帯電する。
次いで上述の画像読み取り装置２で読み取った原稿内容に応じてレーザ光を照射してレーザ書き込み装置６で書き込みを行い、感光体ドラム１０の表面に静電潜像を形成し、その後現像装置１２でトナーを付着してその静電潜像を可視像化する。
また、スタートスイッチを押したとき同時に、シートバンク３中に多段に備える複数のシートカセット６１中の対応するシートカセット６内から呼出ローラ６２によりシートＳを送り出す。
続く供給ローラ６３、分離ローラ６４で１枚ずつ分離するとともに搬送しながら供給路Ｒ１に入れ、シート搬送ローラ６６で搬送してシート搬送路Ｒへと導き、レジストローラ２１に先端を突き当てて止める。
そして、上述した感光体ドラム１０の可視像化した画像の回転にタイミングを合わせてレジストローラ２１を回転し、感光体ドラム１０の右側へと送り込む。または、手差し給紙部７の手差しトレイ６７を開けて、その手差しトレイ６上にセットした手差しシートを呼出ローラ６２により送り出す。
続く供給ローラ６３、分離ローラ６４で１枚ずつ分離するとともに搬送しながら手差し供給路Ｒ２に入れ、シート搬送ローラ６６で搬送してシート搬送路Ｒへと導き、同じくレジストローラ２１で感光体ドラム１０の回転にタイミングを合わせてこの感光体ドラム１０の右側へと送り込む。
それから、感光体ドラム１０の右側へと送り込んだシートＳに、図示例では転写ベルト１７を有する転写装置１３により転写位置Ｂで感光体ドラム１０上の画像を転写して画像を形成する。
【０００６】
画像転写後の感光体ドラム１０上の残留トナーはクリーニング装置１４で除去して清掃し、図示してない除電装置で感光体ドラム１０上の残留電位を除去して帯電装置１１からはじまる次の画像形成に備える。
一方、画像転写後のシートＳは、転写ベルト１７で搬送して定着装置２２の一対の定着ローラ２４ａ、２４ｂ間を通し、それらにより熱と圧力を加えて定着装置２２で転写画像を定着する。
その後、排出ローラ３５、第１加圧ローラ３６、第２加圧ローラ３７、腰付けローラ３８により、シートＳに腰を付けて、排出スタック部３９上に排出してそこにスタックする。
なお、シートＳの両面に画像を転写する場合、排出分岐爪３４を切り換える。そして、表面に画像を転写したシートＳを、シート搬送路Ｒから反転路Ｒ３に入れ、シート搬送ローラ６６で搬送して反転位置４４へ入れる。
シートＳはその反転位置４４で反転してから、再搬送路Ｒ４に入れ反転して、シート搬送ローラ６６で搬送して、再び、シート搬送路Ｒに導き、前述と同様にしてシートＳの裏面にも画像を転写する。
本発明の目的は、上述した実情を考慮してなされたもので、同時に複数の記録紙を印刷する（搬送する）場合、駆動源を専用にして搬送速度をそれぞれに制御して制御の幅を広げ、印刷生産性を上げることができるように、両面反転装置の駆動源を専用にし、その駆動源を本体に残す構成とする画像形成装置を提供することにある。
【課題を解決するための手段】
【０００７】
上記の課題を解決するために、請求項１に記載の発明は、本体と、その側面に設けられた専用の駆動源を有する両面反転装置を備える画像形成装置において、前記両面反転装置の搬送経路、もしくは前記装置本体の搬送経路を露出するさい、前記両面反転装置専用の駆動源を前記装置本体に残す構成とした画像形成装置を特徴とする。
また、請求項２に記載の発明は、前記両面反転装置の搬送経路、もしくは前記装置本体の搬送経路を露出するさい、両面反転装置および手差し装置の駆動源を前記装置本体に残す構成とした請求項１記載の画像形成装置を特徴とする。
また、請求項３に記載の発明は、前記両面反転装置および手差し装置が、前記両面反転装置の搬送経路、もしくは前記装置本体の搬送経路を露出するさい、一体的に開閉する構成である請求項２記載の画像形成装置を特徴とする。
また、請求項４に記載の発明は、前記両面反転装置と手差し装置および前記装置本体の画像転写部の一部が、前記両面反転装置の搬送経路、もしくは前記装置本体の搬送経路を露出するさい、一体的に開閉する構成である請求項１または２記載の画像形成装置を特徴とする。
また、請求項５に記載の発明は、前記両面反転装置の搬送経路を露出するさい、前記装置本体の画像転写部の一部と前記両面反転装置の搬送経路の一部が一体的に開閉する構成である請求項４記載の画像形成装置を特徴とする。
【発明の効果】
【０００８】
本発明によれば、ジャム処理などで両面の搬送経路、または本体の搬送経路を解放するさいに、両面の駆動部が本体側に残る構成にしたので、開閉するカバーの重量を低減でき、オペレータの負荷を減らせる。
また、開閉時にオペレータが手を離した場合の衝撃が減るのでダンパなどの緩衝機構が不要になりコスト低減が図れ、さらに本体の剛性が確保された構造部材に駆動源を設置できるため、振動、騒音などの発生防止にも有利である。
【発明を実施するための最良の形態】
【０００９】
以下、図面を参照して、本発明の実施形態を詳細に説明する。図１は本発明による画像形成装置の両面装置を閉じた状態で示す部分斜視図である。図２は図１の両面装置をジャム処理やメンテナンスのために開いた状態で示す部分斜視図である。
ここで述べる両面反転装置、手差し装置は画像形成装置本体に標準装備されるものでも良いし、オプションとして後から本体に設置される形態のそれらでもよい。なお、本発明の説明において、上述した従来の構造に対応する部分は上述した符号を適宜使用して説明する。
図２では本体１の後側に駆動部７０（ここではギヤ連結の例）が残っている。図３は図１の画像形成装置の右側面図である。図３に示すようにここで言う両面反転装置には搬送ガイド部材（ガイド板、用紙検知センサ）、搬送ローラ７２、および両面反転装置内の駆動伝達部材（ここではプーリ７３とベルト７４）が設けられ、駆動源となるモータ７１（ステッピングモータ、ブラシレスモータ、ブラシモータ、超音波モータなど）と一部減速機構が本体１側に設置されている。
両者の駆動連結は両面反転装置を閉じたときに噛み合い伝達される。これら伝達機構としては、カップリング、ギヤ、クラッチなどが周知である。なお、モータは図では１個であるが、反転用と両面再給紙用とで２個の場合もある。
図４は本体の側面に設けられるユニットを示す概略図である。図４では本体１の側面に、両面反転機能と手差し機能を持ったユニット７５が設けられている（便宜上、右側ユニットと略す）。この右側ユニットには、両面反転経路、搬送ローラ７２に合わせて、手差し部６７が設けられている。さらにジャム処理時には支点７５ａを中心としてこれらが一体で開閉する。
【００１０】
従来、手差し部と両面反転装置を別々に設け（手差し部の上方に両面反転装置を配置）ていたため、ジャム処理の場合、両面部は解放されるが、手差し部は嵌め殺し状態になっているため、ユーザがジャム処理をしようとしても視認性がわるい、手が入らないという問題が発生していた。
本発明では、両面反転装置と手差し部が一体で解放されるので、詰まった記録紙の発見が容易であり、残紙のミスが防げ、ユーザの操作性向上、信頼性向上につながる。
図５は２つの駆動モータが設けられる構成を示す概略図である。図５に見られるように、両面の駆動モータ７１と手差しの駆動モータ７６がそれぞれ本体側に設置される。
図６は本体の転写部が右側ユニットに設置されている構成を示す概略図である。図６に示すように、図４に合わせて本体の転写部（ここでは転写ローラ１３）が右側ユニット７５に設置されている。
用紙が詰まったときに１つのカバーを開けるだけで記録紙の除去が処理できるため、詰まった記録紙の発見が容易であり、残紙のミスが防げ、ユーザの操作性向上、信頼性向上につながり、また、両者の構造部材を別々に設けるよりも一体化により強度が確保でき、部材の共通化によりコストダウンも図れる。
図７は右側ユニットに両面搬送部材を設ける構成を示す概略図である。図７では右側カバー（ユニット）７５に両面搬送部材７７を設け、それが右側カバー７５に対して軸７７ａを中心として開閉可能に設けられる。
詰まった記録紙を取り除けるようになっている。さらに、ここで両面搬送部材７７が転写部材（ローラ）１３を保持するようにしている。ここで転写部材はローラの他にベルトでもよい。また、転写部の加圧機構を含む構成もある。
本発明によれば、ジャム処理などで両面の搬送経路、または本体１の搬送経路を解放するさいに、両面および手差しの駆動部が本体側に残る構成にしたので、開閉するカバーの重量が低減でき、オペレータの負荷を減らせる。
また開閉時にオペレータが手を離した場合の衝撃が減るのでダンパなどの緩衝機構が不要になりコスト低減が図れる。さらに本体の剛性が確保された構造部材に駆動源を設置できるため、振動、騒音などの発生防止にも有利である。
【図面の簡単な説明】
【００１１】
【図１】本発明による画像形成装置の両面反転装置を閉じた状態で示す部分斜視図である。
【図２】図１の両面反転装置をジャム処理やメンテナンスのために開いた状態で示す部分斜視図である。
【図３】図１の画像形成装置の右側面図である。
【図４】本体の側面に設けられるユニットを示す概略図である。
【図５】２つの駆動モータが設けられる構成を示す概略図である。
【図６】本体の転写部が右側ユニットに設置されている構成を示す概略図である。
【図７】右側ユニットに両面搬送部材を設ける構成を示す概略図である。
【図８】従来の電子写真方式の複写機の内部機構の全体構成を示す概略図である。
【符号の説明】
【００１２】
１  画像形成装置本体、５  両面反転装置、７  手差し装置、１３  画像転写部（転写装置）、７１  駆動源（モータ）、Ｒ  搬送経路（シート搬送路）、Ｒ２  搬送経路、Ｒ３  搬送経路
【図１】
2005195759.tif 000003
【図２】
2005195759.tif 000004
【図３】
2005195759.tif 000005
【図４】
2005195759.tif 000006
【図５】
2005195759.tif 000007
【図６】
2005195759.tif 000008
【図７】
2005195759.tif 000009
【図８】
2005195759.tif 000010